(57)【要約】      （修正有）【課題】従来からのカラーコーンと仕切り柵テープそれぞれの素材と使用特徴を生かし、連結の一体化を単純・簡潔にする。【解決手段】カラーコーン用のテープ取付け具１は、構成する弾性部材を一体成型することにより形成された完成品であり、製造工程が簡素化できコスト的に有利なものとなる。そして、手段の最大の特徴は、今あるカラーコーンKと仕切り柵テープT1、その他ビニール・布・紙テープの現物をそのまま有効に利用できることから、それぞれの素材と使用特徴を生かしたカラーコーン用のテープ取付け具１は、柵を作る際のコーンKと柵テープT1の両方を一対として利用でき、長期間に亘って破損する部分も見あたらなく、安心・安全で設置作業と回収作業できる。【選択図】図１
2014101673.tif 000002
【特許請求の範囲】
【請求項１】
カラーコーン（登録商標）に設けられた係止可能なリング状からなる係止部と、
ほぼ垂直に前記係止部に設けられた、テープを挟持するための二本の柱が密着隣接する柱状体とからなり、
前記係止部と前記柱状体は、一体成型の弾性部材からなることを特徴とするカラーコーン用のテープ取付け具。
【請求項２】
前記柱状体は、柱の一方が他より長身であることを特徴する請求項１記載のカラーコーン用のテープ取付け具。
【請求項３】
前記柱状体は、両方のテープ挟持面に凹凸を備えたことを特徴とする請求項１又は２記載のカラーコーン用のテープ取付け具。
【発明の詳細な説明】
【技術分野】
【０００１】
本発明は、カラーコーンを有効に使うテープ取付け具に関するものである。
【背景技術】
【０００２】
従来から知られているカラーコーン（登録商標）円錐形の物は、だれしもが使用を目撃し用途も理解していると思われる。カラーコーンを２つ３つと等間隔で並べれば区分け・柵のように使えるので工事現場・学校教育現場などではよく目にする。しかし1個分のコーンは軽いがまとまればかなりの重量となるためコーンを使った柵は、コーンバー（黄と黒しまのトラ柄安全バー）をコーンとコーンの連結に使われているのが知られている。
【０００３】
現実には安全確保で使っている建築工事現場・イベント会場などのコーンバーとコーンを身近に観察すると、コーンに連結する部位（輪）が壊れていたりコーンバーが変形・破損したりと長期間の使用または取り扱いの不注意で取り換えなければならない、またコーンバーの代わりとしてトラロープ（黄色と黒のしま柄）を使うために、カラーコーンの上部にトラロープを通すための貫通穴を設けて柵として使っているが、貫通穴を設けたためにカラーコーンの強度が弱まり破損しているカラーコーンと前記コーンバーをいくつも目にした。そしてコーンバーは一定の範囲（約１．５〜２．０ｍ）の長さで構成されているので長い柵を作る際コーンバーの数が大量となり設置作業とその後の回収作業に大変苦労している一方で、設置場所の制約と設置の数・設置期間で大きく変わる。
【０００４】
このような問題に対処して、特開２００４‐３０８１８４号に係る「柵テープ支持具」は、コーンバーの数を減らすために有効であり、カラーコーンの上端側外周面に柵テープ支持具の取付部が固定されていて、柵テープを直線で使用する際は確かにかさ張らないうえにカラーコーンの面に合わせた斜め上向きの角度で柵テープの印刷文字も視認させることが開示されている。
【０００５】
また、特開２００６‐１４４４１０号に係る「標識体用防柵材保持具」は、円筒状に形成された本体（柱）に防柵材のビニールテープを保持する保持部が形成されている。その結果、円錐形状の標識体（カラーコーン）で所望の区域を形成でき、保持部が把持しやすくなるため、防柵材の脱着が容易に行われることが開示されている。
【先行技術文献】
【特許文献】
【０００６】
【特許文献１】特開２００４‐３０８１８４号公報
【特許文献２】特開２００６‐１４４４１０号公報
【発明の概要】
【発明が解決しようとする課題】
【０００７】
このように、特許文献１「柵テープ支持具」は、一見使い勝手の便利なようだが柵テープを使用して柵で区域を多数作る場合には新たに柵テープ巻回体が載置される支持具本体を区域の数だけ購入しないといけないわけで今あるカラーコーンを有効に生かせない。また直線として使用できても直角に曲げてカラーコーンを並べた場合、柵テープの取付支持部材がカラーコーン上部に斜め上向きの角度でカラーコーン面に接着しているので幅のある柵テープは、カラーコーンを中心に曲げた時に柵テープは地面に対して平行にならないで歪むため使えない。そして柵テープ支持具が固定されたカラーコーンはネジを止めて使用しているために、教育現場（運動場・体育館）・工事現場で使用中にネジが落下して児童がケガする場合もまた路上で自転車のパンク等が考えられる。特許文献の「柵テープ支持具」は、一時的な利用の際は有効な面があるが安全を第一に考えた場合は問題がある。
特許文献２「標識体用防柵材保持具」は、円筒状に形成された本体（柱）の外側に防柵材のビニールテープを保持する保持部が形成されて、鉛直姿勢に保持された状態の防柵材を本体と保持部で保持するとありますが、間に挿入することだけで挟持力が弱くそして本体自体も透明な樹脂で形成されているため軽量なうえ、コーンの天辺上部に取り付けるので風及び人的接触で簡単に落下するおそれがあり屋外で長期使用の場合太陽の紫外線で「標識体用防柵材保持具」の劣化も考えられる。    
本発明は、今あるカラーコーンを有効に使うためのコーンバーに代わる仕切り柵テープを、安全確保を保ちながらカラーコーンに単純・簡潔に連結できるカラーコーン用のテープ取付け具を提供することを目的とするものである。なお、以後の本発明においては仕切り柵テープその他のリボンテープ、ビニール・布・紙テープをテープと記す。
【課題を解決するための手段】
【０００８】
現在使用されているカラーコーン（K）とテープ（T1）を現状のままの特徴を生かして単純・簡潔に連結ができるためのカラーコーン用のテープ取付け具（1）。本発明の（図１）は弾性部材（ゴム又は可撓性を有する合成樹脂等で、曲って復元性を有する物質であれば何でもよい）を一体成型することにより形成された完成品で本体以外の後付等の結合部品は全くなくカラーコーンに係止可能なリング状からなる係止部と、テープを面と面で峡持することができる互いに隣接立設・ほぼ垂直に密着した多角柱部とからなるカラーコーン用のテープ取付け具（1）であり、本体に物が当たり衝撃を受けても金属・樹脂等の部品はなく弾性部材の柔軟性があるため壊れにくく現状を保つことが可能である。
【０００９】
また、カラーコーン用のテープ取付け具（1）のリング状からなる係止部一カ所にあらかじめ互いに隣接立設・密着してほぼ垂直に支持される二本の多角柱か円柱・半円柱・楕円曲線を含む柱または組み合わせた柱（図１・図２・図３・図４）を備え、前記カラーコーン用のテープ取付け具（1）及び二本の前記多角柱か円柱・半円柱・楕円曲線を含む柱または組み合わせた柱の一方は長身が望ましく、ゴム状弾性部材を一体成型することにより形成され、配置された多角柱（柱）の側面が他の多角柱（柱）の１つの側面に密着するように配置されたことを特徴とするカラーコーン用のテープ取付け具（1）は、テープ（T1）を単純に挟持・設置ができてさらに簡潔に連結できるカラーコーン用のテープ取付け具（1）である。
【発明の効果】
【００１０】
本発明は、本体以外の後付の結合部品はなく金属・樹脂・バネ・ボルト等の挟持のための付属品も全く使わないテープ取付け具であり、カラーコーンに係止可能なリング状からなる係止部と、テープを峡持することができる柱二本の柱状体を互いに隣接立設・ほぼ垂直に密着しさらに面取りをした円柱・半円柱・曲柱・多角柱（図１・図２・図３・図４）は、テープの挟持の際あるいは本体に擦れるか接触しても本体また挟持部分で怪我をすることもない弾性部材からなるカラーコーン用のテープ取付け具（1）である。
【００１１】
本発明は、テープ（T1）の長手方向に引っ張られまたテープ面に左右横から力が加わった場合にズレ・落下防止を考慮して、挟持機能を高めるために柱の挟持する側の密着する面をテープが折れ曲がる様に凹凸（5）を設けた、カラーコーン用のテープ取付け具（1）である。
【００１２】
本発明の、カラーコーン用のテープ取付け具は連結のテープ取付け具本体（1）にあらかじめ互いに隣接立設・ほぼ垂直に密着して支持結合された二本の柱（図１・図２・図３・図４）の場合は一方が長身（３）であることが望ましい、カラーコーン用のテープ取付け具（1）である。
【００１３】
本発明は、好ましくはゴム状弾性部材（ゴム又は可撓性を有する合成樹脂等で、曲って復元性を有する物質であれば何でもよい）を一体成型することにより形成された完成品を用いればテープ（T1）を単純・簡潔に連結ができ、カラーコーン（K）の間隔も使用現場・会場に合わせて任意で仕切ることができるためカラーコーン（K）の削減につながり設置作業と回収作業の簡素化ができてさらに、弾性部材で一体成型の完成品は一部・一ヶ所に金属・樹脂・バネ・ボルト等は全く使わないため、落下・接触・衝撃を受けても柔軟性があるため破損し部品が無くなることも散乱することもなく学校・体育館・イベント会場内でも安心して長期に亘って使用ができてエコにもつながる、カラーコーン用のテープ取付け具（1）である。
【００１４】
本発明は、テープ（T1）を単純・簡潔に設置するためにゴム状弾性部材の特徴を生かした隣接立設・密着等の構成にすることでテープ（T1）のズレ・落下防止となる。テープを確実に素早く設置するために挟む機能を考慮した場合、多角柱（面取り柱）二本で面と面が密着する挟持機能を最大に生かせる柱形は円柱・半円柱・曲柱または多角柱の全ての挟持するそれぞれの挟持面が大小の凹と凸の一方または両方を備えた柱状体からなり、テープが折れ曲がって挟持できる柱状体（図１・図２・図３・図４）は挟持面の長さ・幅が短い柱状体であるので挟持力を増すために、初めに大きな凹と凸で容易に挟みさらにズレ防止のために小さな凹と凸を備えた、カラーコーン用のテープ取付け具（1）である。
【００１５】
本発明は、カラーコーン用のテープ取付け具（1）に支持結合された、ほぼ垂直の円柱・半円柱・曲柱または多角柱の二本の結合部分は補強のために、テープ取付け具のリング（1）の円柱ではなく本体と同じゴム状弾性部材の四角形体（2）で補強結合からなる、カラーコーン用のテープ取付け具（1）である。
【図面の簡単な説明】
【００１６】
【図１】テープ取付け具本体にテープを設置した斜視図及び柱状体の平面図
【図２】テープ取付け具本体にテープを設置した斜視図及び柱状体の平面図
【図３】テープ取付け具本体にテープを設置した斜視図及び柱状体の平面図
【図４】テープ取付け具本体にテープを設置した斜視図及び柱状体の平面図
【図５】一本の柱状体を上方向から切込みを途中まで入れた柱状体の斜視図
【図６】一本の柱状体を上方向から切込みを途中まで入れた柱状体の斜視図
【発明を実施するための形態】
【実施例】
【００１７】
本発明は、本体以外の後付の結合部品は全くなく金属・樹脂・バネ・ボルト等の挟持のための付属品も全く使わないテープ取付け具であり、カラーコーンに係止可能なリング状からなる係止部と、テープを峡持することができる柱二本の柱状体を互いに隣接立設・ほぼ垂直に密着さらに面取りした円柱・半円柱・曲柱・多角柱（図１・図２・図３・図４）は、テープの挟持の際あるいは本体に擦れるか接触しても本体また挟持部分で怪我をすることもない弾性部材からなる、カラーコーン用のテープ取付け具（1）である。
【００１８】
本発明は、テープ（T1）の長手方向に引っ張られまたテープ面に左右横から力が加わった場合にズレ・落下防止を考慮して、設置挟持機能を高めるために円柱・半円柱・曲柱・多角柱の各柱の挟持する側の密着する面にテープが折れ曲がる様に凹凸（5）を設けた、カラーコーン用のテープ取付け具（1）である。
【００１９】
本発明の、カラーコーン用のテープ取付け具は連結のテープ取付け具本体（1）にあらかじめ互いに隣接立設・密着してほぼ垂直に支持結合された二本の柱（図１・図２・図３・図４）の場合に一方が長身（３）であることが望ましい、カラーコーン用のテープ取付け具（1）である。
【００２０】
本発明は、好ましくはゴム状弾性部材（ゴム又は可撓性を有する合成樹脂等で、曲って復元性を有する物質であれば何でもよい）を一体成型することにより形成された完成品を用いればテープ（T1）を単純・簡潔に連結ができ、カラーコーン（K）の間隔も使用現場・会場に合わせて任意で仕切ることができることからカラーコーン（K）の削減につながり設置作業と回収作業の簡素化ができてさらに、弾性部材で一体成型の完成品は一部・一ヶ所に金属・樹脂・バネ・ボルト等は全く使わないため、落下・接触・衝撃を受けても柔軟性があるため破損し部品が無くなることも散乱することもなく学校・体育館・イベント会場内でも安心して長期に亘って使用ができてエコにもつながる、カラーコーン用のテープ取付け具（1）である。  
【００２１】
本発明の実施形態におけるカラーコーン用のテープ取付け具（１）は、図１に示すよう
にゴム状弾性部材で一体成型することにより形成され、本体以外の後付等の結合部品は全くなくカラーコーンに係止可能なリング状からなる係止部と、テープを峡持することができる柱二本の結合部分は補強のために、テープ取付け具のリング（１）の円柱ではなく本体と同じゴム状弾性部材の四角形体（2）で補強結合からなる、前記柱二本が互いに隣接立設・ほぼ垂直に密着した円柱・半円柱・曲柱・多角柱（図１・図２・図３・図４）とからなるカラーコーン用のテープ取付け具（1）であり本体に物が当たり衝撃を受けても柔軟性があるので壊れにくく現状を保つことが可能な、カラーコーン用のテープ取付け具（1）である。
【００２２】
本発明は、ゴム状弾性部材で柔軟性があり加工が容易であるカラーコーン用のテープ取
付け具本体（1）は、テープ（T1）を確実に素早く設置するための挟む機能を考慮した場合、円柱・半円柱・曲柱または多角柱（面取り柱）二本で面と面が密着する挟持機能を最大に生かせる柱型は円柱・半円柱・曲柱または多角柱の全ての挟持するそれぞれの挟持面が大小の凹と凸の一方または両方を備えた柱状体からなり、テープが折れ曲がって挟持できる柱状体（図１・図２・図３・図４）は挟持面の長さ・幅が短い柱状体であるので挟持力を増すために、初めに大きな凹と凸で容易に挟みさらにズレ防止のために小さな凹と凸を備えることで、テープに風・人的等の力で引っ張られ直線に戻ろうと働いたとき、折れ曲がって隣接・密着で挟持している柱状体が開口しても復元性を有する弾性部材であるので戻る時にテープ面に摩擦の力が加わり挟持力がさらに増すためにテープのずれ防止となる最も適した形である、カラーコーン用のテープ取付け具（1）である。
【００２３】
本発明は、カラーコーン用のテープ取付け具本体（1）の一カ所にあらかじめ２本の柱状体が隣接立設・密着してほぼ垂直に支持結合されており、カラーコーンにテープを挟持する際には、テープ（T1）をほぼ垂直に設置・挟持ができる。その結果、テープを垂直方向に鋭角に折り曲げることができ、簡単に仕切り区域が自由に形成できる。すなわち、簡単に仕切り区域が自由に形成できる最適なカラーコーン用のテープ取付け具（1）である。
【００２４】
本発明の、図１のテープ（T1）は通常のテープよりテープ幅が異なり幅広であるが、あらかじめほぼ垂直に支持結合された二本の柱（図１・図２・図３・図４）の場合に一方を長身にして、テープの異なる幅に関係なく長身の柱（３）を後ろに傾けた時に（図１・C）できる隙間空間にテープを通すだけで挟みやすくなり単純に設置できる結果、従来の課題が解決でき簡潔に連結が可能なカラーコーン用のテープ取付け具（1）である。
【００２５】
本発明は、カラーコーン用のテープ取付け具本体（1）の一カ所にあらかじめ隣接立設・密着してほぼ垂直に支持結合された多角柱（面取り柱）二本を設け多角柱の２つの側面が密着するように配置されたことを特徴とするもので、一本の柱状体（図５・図６）を上方向からの切込み（４）を途中まで入れテープを挟持する面の柱状体が長手方向に長い場合は、本発明と同様の効果が得られるので柱状体に切込みを入れた場合はそれぞれ一本の柱状体と代わらないため本発明に属する。
【産業上の利用可能性】
【００２６】
現状はカラーコーンを使用する際、今あるカラーコーンをコーンバーで連結し柵として有効に使われていて、特許文献のような新しい柵として実際に使用できる発明はまだ無いようである。この様に、今あるカラーコーンはコーンバーと一対として使われているのが現実で長い柵を作る際にコーンバーの数が大量となり、設置作業を行う場合とその後の回収作業に人手と時間の経費等で大変苦労している現状がある。本発明は柵を作る際のカラーコーンの減少とコーンバーが無用となり設置作業の簡素化となり、消耗品となり得るカラーコーンとコーンバーの減少につながり経費削減からエコにも大きく貢献できる。
【符号の説明】
【００２７】
１     カラーコーン用のテープ取付け具本体
２     テープ取付け具本体と多角柱の結合部
３     二本の柱状体の高さの違い
４     一本の柱状体の切込み
５     折れ曲がった凹凸の挟持部分
Ｃ     柱を後ろに傾けた状態
Ｔ1    幅広のテープ
Ｋ     カラーコーン
【図１】
2014101673.tif 000003
【図２】
2014101673.tif 000004
【図３】
2014101673.tif 000005
【図４】
2014101673.tif 000006
【図５】
2014101673.tif 000007
【図６】
2014101673.tif 000008
【手続補正書】
【提出日】平成25年2月13日(2013.2.13)
【手続補正１】
【補正対象書類名】特許請求の範囲
【補正対象項目名】全文
【補正方法】変更
【補正の内容】
【特許請求の範囲】
【請求項１】
コーンに設けられた係止可能なリング状からなる係止部と、ほぼ垂直に前記係止部に設けられた、テープを挟持するための二本の柱が密着隣接する柱状体からなり、前記柱状体は半径方向内外に設け、内側の柱を中心寄りに傾動し、前記係止部と前記柱状体は一体成型の弾性部材からなることを特徴とするコーン用のテープ取付け具。
【請求項２】
前記柱状体は、柱の一方が他より長身であることを特徴とする請求項１記載のコーン用のテープ取付け具。
【請求項３】
前記柱状体は、テープ挟持面に凹と凸の一方または両方を備えたことを特徴とする請
求項１又は２記載のコーン用のテープ取付け具。
【手続補正２】
【補正対象書類名】明細書
【補正対象項目名】全文
【補正方法】変更
【補正の内容】
【発明の詳細な説明】
【技術分野】
【０００１】
本発明は、コーンを有効に使うテープ取付け具に関するものである。
【背景技術】
【０００２】
従来から知られているコーン円錐形の物は、だれしもが使用を目撃し用途も理解していると思われる。コーンを２つ３つと等間隔で並べれば区分け・柵のように使えるので工事現場・学校教育現場などではよく目にする。しかし1個分のコーンは軽いがまとまればかなりの重量となるためコーンを使った柵は、コーンバー（黄と黒しまのトラ柄安全バー）をコーンとコーンの連結に使われているのが知られている。
【０００３】
現実には安全確保で使っている建築工事現場・イベント会場などのコーンバーとコーンを身近に観察すると、コーンに連結する部位（輪）が壊れていたりコーンバーが変形・破損したりと長期間の使用または取り扱いの不注意で取り換えなければならない、またコーンバーの代わりとしてトラロープ（黄色と黒のしま柄）を使うために、コーンの上部にトラロープを通すための貫通穴を設けて柵として使っているが、貫通穴を設けたためにコーンの強度が弱まり破損しているコーンと前記コーンバーをいくつも目にした。そしてコーンバーは一定の範囲（約１．５〜２．０ｍ）の長さで構成されているので長い柵を作る際コーンバーの数が大量となり設置作業とその後の回収作業に大変苦労している一方で、設置場所の制約と設置の数・設置期間で大きく変わる。
【０００４】
このような問題に対処して、特開２００４‐３０８１８４号に係る「柵テープ支持具」は、コーンバーの数を減らすために有効であり、コーンの上端側外周面に柵テープ支持具の取付部が固定されていて、柵テープを直線で使用する際は確かにかさ張らないうえにコーンの面に合わせた斜め上向きの角度で柵テープの印刷文字も視認させることが開示されている。
【０００５】
また、特開２００６‐１４４４１０号に係る「標識体用防柵材保持具」は、円筒状に形成された本体（柱）に防柵材のビニールテープを保持する保持部が形成されている。その結果、円錐形状の標識体（コーン）で所望の区域を形成でき、保持部が把持しやすくなるため、防柵材の脱着が容易に行われることが開示されている。
【先行技術文献】
【特許文献】
【０００６】
【特許文献１】特開２００４‐３０８１８４号公報
【特許文献２】特開２００６‐１４４４１０号公報
【発明の概要】
【発明が解決しようとする課題】
【０００７】
このように、特許文献１「柵テープ支持具」は、一見使い勝手の便利なようだが柵テープを使用して柵で区域を多数作る場合には新たに柵テープ巻回体が載置される支持具本体を区域の数だけ購入しないといけないわけで今あるコーンを有効に生かせない。また直線として使用できても直角に曲げてコーンを並べた場合、柵テープの取付支持部材がコーン上部に斜め上向きの角度でコーン面に接着しているので幅のある柵テープは、コーンを中心に曲げた時に柵テープは地面に対して平行にならないで歪むため使えない。そして柵テープ支持具が固定されたコーンはネジを止めて使用しているために、教育現場（運動場・体育館）・工事現場で使用中にネジが落下して児童がケガする場合もまた路上で自転車のパンク等が考えられる。特許文献の「柵テープ支持具」は、一時的な利用の際は有効な面があるが安全を第一に考えた場合は問題がある。
特許文献２「標識体用防柵材保持具」は、円筒状に形成された本体（柱）の外側に防柵材のビニールテープを保持する保持部が形成されて、鉛直姿勢に保持された状態の防柵材を本体と保持部で保持するとありますが、間に挿入することだけで挟持力が弱くそして本体自体も透明な樹脂で形成されているため軽量なうえ、コーンの天辺上部に取り付けるので風及び人的接触で簡単に落下するおそれがあり屋外で長期使用の場合太陽の紫外線で「標識体用防柵材保持具」の劣化も考えられる。
本発明は、今あるコーンを有効に使うためのコーンバーに代わる仕切り柵テープを、安全確保を保ちながらコーンに単純・簡潔に連結できるコーン用のテープ取付け具を提供することを目的とするものである。なお、以後の本発明においては仕切り柵テープその他のリボンテープ、ビニール・布・紙テープをテープと記す。
【課題を解決するための手段】
【０００８】
現在使用されているコーン（K）とテープ（T1）を現状のままの特徴を生かして単純・簡潔に連結ができるためのコーン用のテープ取付け具（1）。本発明の（図１）は弾性部材（ゴム又は可撓性を有する合成樹脂等で、曲って復元性を有する物質であれば何でもよい）を一体成型することにより形成された完成品で本体以外の後付等の結合部品は全くなくコーンに係止可能なリング状からなる係止部と、テープを面と面で峡持することができる互いに隣接立設・ほぼ垂直に密着した多角柱部とからなるコーン用のテープ取付け具（１）であり、本体に物が当たり衝撃を受けても金属・樹脂等の部品はなく弾性部材の柔
軟性があるため壊れにくく現状を保つことが可能である。
【０００９】
また、コーン用のテープ取付け具（1）のリング状からなる係止部一カ所にあらかじめ互いに隣接立設・密着してほぼ垂直に支持される二本の多角柱か円柱・半円柱・楕円曲線を含む柱または組み合わせた柱（図１・図２・図３・図４）を備え、前記コーン用のテープ取付け具（1）及び二本の前記多角柱か円柱・半円柱・楕円曲線を含む柱または組み合わせた柱の一方は長身が望ましく、ゴム状弾性部材を一体成型することにより形成され、配置された多角柱（柱）の側面が他の多角柱（柱）の１つの側面に密着するように配置されたことを特徴とするコーン用のテープ取付け具（1）は、テープ（T1）を単純に挟持・設置ができてさらに簡潔に連結できるコーン用のテープ取付け具（1）である。
【発明の効果】
【００１０】
本発明は、本体以外の後付の結合部品はなく金属・樹脂・バネ・ボルト等の挟持のための付属品も全く使わないテープ取付け具であり、コーンに係止可能なリング状からなる係止部と、テープを峡持することができる柱二本の柱状体を互いに隣接立設・ほぼ垂直に密着しさらに面取りをした円柱・半円柱・曲柱・多角柱（図１・図２・図３・図４）は、テープの挟持の際あるいは本体に擦れるか接触しても本体また挟持部分で怪我をすることもない弾性部材からなるコーン用のテープ取付け具（1）である。
【００１１】
本発明は、テープ（T1）の長手方向に引っ張られまたテープ面に左右横から力が加わった場合にズレ・落下防止を考慮して、挟持機能を高めるために柱の挟持する側の密着する面をテープが折れ曲がる様に凹凸（5）を設けた、コーン用のテープ取付け具（1）である。
【００１２】
本発明の、コーン用のテープ取付け具は連結のテープ取付け具本体（1）にあらかじめ互いに隣接立設・ほぼ垂直に密着して支持結合された二本の柱（図１・図２・図３・図４）の場合は一方が長身（３）であることが望ましい、コーン用のテープ取付け具（1）である。
【００１３】
本発明は、好ましくはゴム状弾性部材（ゴム又は可撓性を有する合成樹脂等で、曲って復元性を有する物質であれば何でもよい）を一体成型することにより形成された完成品を用いればテープ（T1）を単純・簡潔に連結ができ、コーン（K）の間隔も使用現場・会場に合わせて任意で仕切ることができるためコーン（K）の削減につながり設置作業と回収作業の簡素化ができてさらに、弾性部材で一体成型の完成品は一部・一ヶ所に金属・樹脂・バネ・ボルト等は全く使わないため、落下・接触・衝撃を受けても柔軟性があるため破損し部品が無くなることも散乱することもなく学校・体育館・イベント会場内でも安心して長期に亘って使用ができてエコにもつながる、コーン用のテープ取付け具（1）である。
【００１４】
本発明は、テープ（T1）を単純・簡潔に設置するためにゴム状弾性部材の特徴を生かした隣接立設・密着等の構成にすることでテープ（T1）のズレ・落下防止となる。テープを確実に素早く設置するために挟む機能を考慮した場合、多角柱（面取り柱）二本で面と面が密着する挟持機能を最大に生かせる柱形は円柱・半円柱・曲柱または多角柱の全ての挟持するそれぞれの挟持面が大小の凹と凸の一方または両方を備えた柱状体からなり、テープが折れ曲がって挟持できる柱状体（図１・図２・図３・図４）は挟持面の長さ・幅が短い柱状体であるので挟持力を増すために、初めに大きな凹と凸で容易に挟みさらにズレ防止のために小さな凹と凸を備えた、コーン用のテープ取付け具（1）である。
【００１５】
本発明は、コーン用のテープ取付け具（1）に支持結合された、ほぼ垂直の円柱・半円・曲柱または多角柱の二本の結合部分は補強のために、テープ取付け具のリング（1）の円柱ではなく本体と同じゴム状弾性部材の四角形体（2）で補強結合からなる、コーン用のテープ取付け具（1）である。
【図面の簡単な説明】
【００１６】
【図１】テープ取付け具本体にテープを設置した斜視図及び柱状体の平面図
【図２】テープ取付け具本体にテープを設置した斜視図及び柱状体の平面図
【図３】テープ取付け具本体にテープを設置した斜視図及び柱状体の平面図
【図４】テープ取付け具本体にテープを設置した斜視図及び柱状体の平面図
【図５】一本の柱状体を上方向から切込みを途中まで入れた柱状体の斜視図
【図６】一本の柱状体を上方向から切込みを途中まで入れた柱状体の斜視図
【発明を実施するための形態】
【実施例】
【００１７】
本発明は、本体以外の後付の結合部品は全くなく金属・樹脂・バネ・ボルト等の挟持のための付属品も全く使わないテープ取付け具であり、コーンに係止可能なリング状からなる係止部と、テープを峡持することができる柱二本の柱状体を互いに隣接立設・ほぼ垂直に密着さらに面取りした円柱・半円柱・曲柱・多角柱（図１・図２・図３・図４）は、テープの挟持の際あるいは本体に擦れるか接触しても本体また挟持部分で怪我をすることもない弾性部材からなる、コーン用のテープ取付け具（1）である。
【００１８】
本発明は、テープ（T1）の長手方向に引っ張られまたテープ面に左右横から力が加わった場合にズレ・落下防止を考慮して、設置挟持機能を高めるために円柱・半円柱・曲柱・多角柱の各柱の挟持する側の密着する面にテープが折れ曲がる様に凹凸（5）を設けた、コーン用のテープ取付け具（1）である。
【００１９】
本発明の、コーン用のテープ取付け具は連結のテープ取付け具本体（1）にあらかじめ互いに隣接立設・密着してほぼ垂直に支持結合された二本の柱（図１・図２・図３・図４）の場合に一方が長身（３）であることが望ましい、コーン用のテープ取付け具（1）である。
【００２０】
本発明は、好ましくはゴム状弾性部材（ゴム又は可撓性を有する合成樹脂等で、曲って復元性を有する物質であれば何でもよい）を一体成型することにより形成された完成品を用いればテープ（T1）を単純・簡潔に連結ができ、コーン（K）の間隔も使用現場・会場に合わせて任意で仕切ることができることからコーン（K）の削減につながり設置作業と回収作業の簡素化ができてさらに、弾性部材で一体成型の完成品は一部・一ヶ所に金属・樹脂・バネ・ボルト等は全く使わないため、落下・接触・衝撃を受けても柔軟性があるため破損し部品が無くなることも散乱することもなく学校・体育館・イベント会場内でも安心して長期に亘って使用ができてエコにもつながる、コーン用のテープ取付け具（1）である。  
【００２１】
本発明の実施形態におけるコーン用のテープ取付け具（１）は、図１に示すようにゴム  状弾性部材で一体成型することにより形成され、本体以外の後付等の結合部品は全くなくコーンに係止可能なリング状からなる係止部と、テープを峡持することができる柱二本の結合部分は補強のために、テープ取付け具のリング（１）の円柱ではなく本体と同じゴム状弾性部材の四角形体（2）で補強結合からなる、前記柱二本が互いに隣接立設・ほぼ垂直に密着した円柱・半円柱・曲柱・多角柱（図１・図２・図３・図４）とからなるコーン用のテープ取付け具（1）であり本体に物が当たり衝撃を受けても柔軟性があるので壊れにくく現状を保つことが可能な、コーン用のテープ取付け具（1）である。
【００２２】
本発明は、ゴム状弾性部材で柔軟性があり加工が容易であるコーン用のテープ取付け具  本体（1）は、テープ（T1）を確実に素早く設置するための挟む機能を考慮した場合、円柱・半円柱・曲柱または多角柱（面取り柱）二本で面と面が密着する挟持機能を最大に生かせる柱型は円柱・半円柱・曲柱または多角柱の全ての挟持するそれぞれの挟持面が大小の凹と凸の一方または両方を備えた柱状体からなり、テープが折れ曲がって挟持できる柱状体（図１・図２・図３・図４）は挟持面の長さ・幅が短い柱状体であるので挟持力を増すために、初めに大きな凹と凸で容易に挟みさらにズレ防止のために小さな凹と凸を備えることで、テープに風・人的等の力で引っ張られ直線に戻ろうと働いたとき、折れ曲がって隣接・密着で挟持している柱状体が開口しても復元性を有する弾性部材であるので戻る時にテープ面に摩擦の力が加わり挟持力がさらに増すためにテープのずれ防止となる最も適した形である、コーン用のテープ取付け具（1）である。
【００２３】
本発明は、コーン用のテープ取付け具本体（1）の一カ所にあらかじめ２本の柱状体が
隣接立設・密着してほぼ垂直に支持結合されており、コーンにテープを挟持する際には、テープ（T1）をほぼ垂直に設置・挟持ができる。その結果、テープを直角方向に鋭角に折り曲げることができ、簡単に仕切り区域が自由に形成できる。すなわち、簡単に仕切り区域が自由に形成できる最適なコーン用のテープ取付け具（1）である。
【００２４】
本発明の、図１のテープ（T1）は通常のテープよりテープ幅が異なり幅広であるが、あらかじめほぼ垂直に支持結合された二本の柱（図１・図２・図３・図４）の場合に一方を長身にして、テープの異なる幅に関係なく長身の柱（３）を後ろに傾けた時に（図１・C）できる隙間空間にテープを通すだけで挟みやすくなり単純に設置できる結果、従来の課題が解決でき簡潔に連結が可能なコーン用のテープ取付け具（1）である。
【００２５】
本発明は、コーン用のテープ取付け具本体（1）の一カ所にあらかじめ隣接立設・密着してほぼ垂直に支持結合された多角柱（面取り柱）二本を設け多角柱の２つの側面が密着するように配置されたことを特徴とするもので、一本の柱状体（図５・図６）を上方向からの切込み（４）を途中まで入れテープを挟持する面の柱状体が長手方向に長い場合は、本発明と同様の効果が得られるので柱状体に切込みを入れた場合はそれぞれ一本の柱状体と代わらないため本発明に属する。
【産業上の利用可能性】
【００２６】
現状はコーンを使用する際、今あるコーンをコーンバーで連結し柵として有効に使われていて、特許文献のような新しい柵として実際に使用できる発明はまだ無いようである。この様に、今あるコーンはコーンバーと一対として使われているのが現実で長い柵を作る際にコーンバーの数が大量となり、設置作業を行う場合とその後の回収作業に人手と時間の経費等で大変苦労している現状がある。本発明は柵を作る際のコーンの減少とコーンバーが無用となり設置作業の簡素化となり、消耗品となり得るコーンとコーンバーの減少につながり経費削減からエコにも大きく貢献できる。
【符号の説明】
【００２７】
１     コーン用のテープ取付け具本体
２     テープ取付け具本体と多角柱の結合部
３     二本の柱状体の高さの違い
４     一本の柱状体の切込み
５     折れ曲がった凹凸の挟持部分
Ｃ     柱を後ろに傾けた状態
Ｔ1    幅広のテープ
K      コーン